(57)【要約】【課題】  簡単な操作で雨に濡れない屋外の作業空間を形成することができる簡易テントを提供する。【解決手段】支柱２に対して着脱可能に形成され、支柱２を囲繞するように支柱２の周囲に配設される曲線部を有する部材であるレール２１と、レール２１に沿って移動させるように構成した複数個の移動片と、基端部が前記各移動片にそれぞれ取り付けられて支柱２と反対側に張り出すようにした複数本の骨部材２２と、レール２１の周方向に関して隣接する骨部材２２の間に配設するとともに骨部材２２間で展張し得るシート部材２３とを有する。【選択図】  図２
2008240406.tif 000002
【特許請求の範囲】
【請求項１】
支柱に対して着脱可能に形成され、前記支柱を囲繞するように前記支柱の周囲に配設される曲線部を有する部材であるレールと、
前記レールに沿って移動させるように構成した複数個の移動片と、
基端部が前記各移動片にそれぞれ取り付けられて前記支柱と反対側に張り出すように構成した複数本の骨部材と、
前記レールの周方向に関して隣接する骨部材の間に配設するとともに前記骨部材間で展張し得るシート部材とを有することを特徴とする簡易テント。
【請求項２】
請求項１に記載する簡易テントにおいて、
前記骨部材は前記基端部から先端に向かって斜め上方に伸ばされていることを特徴とする簡易テント。
【請求項３】
請求項１に記載する簡易テントにおいて、
前記レールは、一つのＵ字状部材の開口端に他のＵ字状部材の開口端を当接させてこの開口端を塞ぐように両者を連結することにより全体として環状に形成したものであることを特徴とする簡易テント。
【請求項４】
請求項１乃至請求項３に記載する簡易テントにおいて、
前記移動片は、前記骨部材に対し回転可能に取り付けられ、前記レールを転動して移動するローラで構成したことを特徴とする簡易テント。
【請求項５】
請求項１乃至請求項４に記載する簡易テントにおいて、
前記レールは、断路器の支柱に装着された操作箱の上方で前記支柱に装着するものであることを特徴とする簡易テント。
【請求項６】
請求項１乃至請求項５の何れか一つに記載する簡易テントにおいて、
前記レールは、下方に開口する開口部を介して前記支柱の構造材である水平なプレートに上方から嵌め込まれる断面コ字状の取付治具を介して前記支柱に装着するように構成したことを特徴とする簡易テント。
【請求項７】
請求項６に記載する簡易テントにおいて、
前記取付治具は、前記レールの支柱側の内周面との間の水平方向の距離を調整し得る距離調整手段を介して前記レールに取り付けたものであることを特徴とする簡易テント。
【請求項８】
請求項７に記載する簡易テントにおいて、
前記距離調整手段は、両端部のヒンジ部を介して前記レール及び取付治具に固着したレバーで構成したことを特徴とする簡易テント。
【発明の詳細な説明】
【技術分野】
【０００１】
本発明は簡易テントに関し、特に屋外に設置する断路器の操作機構等の雨天時の保守点検に用いて有用なものである。
【背景技術】
【０００２】
屋外に設置された電気設備の保守・点検を雨天時に行なう場合には、充電部に雨水が付着しないように留意しつつ作業を進める必要がある。例えば、屋外に設置する断路器の操作機構の雨天時の保守・点検作業においては、操作機構を収納する操作箱が配設されている支柱に、シートの一端に取り付けたロープを結び付けるとともに、前記シートの他端に取り付けたロープを他の適当な固定物に結び付けることにより前記操作箱の上方にシートを張り、このシートの下方に雨に濡れない作業空間を確保していた。
【０００３】
なお、雨天時の作業を円滑に進めるための公知技術として特許文献１を挙げることができる。
【０００４】
【特許文献１】特開２００６−０３７６９７号公報
【発明の開示】
【発明が解決しようとする課題】
【０００５】
しかしながら、ロープとシートを利用して雨天時の作業空間を形成する従来技術では、シートの展張作業に多大の時間を要し、極めて作業効率が悪いものとなっていた。そこで、必要なとき雨に濡れない作業空間を容易に形成し得る簡易テントの出現が待望されていた。
【０００６】
本発明は、上記従来技術に鑑み、簡単な操作で雨に濡れない屋外の作業空間を形成することができる簡易テントを提供することを目的とする。
【課題を解決するための手段】
【０００７】
上記目的を達成するための本発明の第１の態様は、
支柱に対して着脱可能に形成され、前記支柱を囲繞するように前記支柱の周囲に配設される曲線部を有する部材であるレールと、
前記レールに沿って移動させるように構成した複数個の移動片と、
基端部が前記各移動片にそれぞれ取り付けられて前記支柱と反対側に張り出すように構成した複数本の骨部材と、
前記レールの周方向に関して隣接する骨部材の間に配設するとともに前記骨部材間で展張し得るシート部材とを有することを特徴とする簡易テントにある。
【０００８】
本発明の第２の態様は、
上記第１の態様に記載する簡易テントにおいて、
前記骨部材は前記基端部から先端に向かって斜め上方に伸ばされていることを特徴とする簡易テントにある。
【０００９】
本発明の第３の態様は、
上記第１の態様に記載する簡易テントにおいて、
前記レールは、一つのＵ字状部材の開口端に他のＵ字状部材の開口端を当接させてこの開口端を塞ぐように両者を連結することにより全体として環状に形成したものであることを特徴とする簡易テントにある。
【００１０】
本発明の第４の態様は、
上記第１乃至第３の態様に記載する簡易テントにおいて、
前記移動片は、前記骨部材に対し回転可能に取り付けられ、前記レールを転動して移動するローラで構成したことを特徴とする簡易テントにある。
【００１１】
本発明の第５の態様は、
上記第１の態様乃至第４の態様に記載する簡易テントにおいて、
前記レールは、断路器の支柱に装着された操作箱の上方で前記支柱に装着するものであることを特徴とする簡易テントにある。
【００１２】
本発明の第６の態様は、
上記第１乃至第５の態様の何れか一つに記載する簡易テントにおいて、
前記レールは、下方に開口する開口部を介して前記支柱の構造材である水平なプレートに上方から嵌め込まれる断面コ字状の取付治具を介して前記支柱に装着するように構成したことを特徴とする簡易テントにある。
【００１３】
本発明の第７の態様は、
上記第６の態様に記載する簡易テントにおいて、
前記取付治具は、前記レールの支柱側の内周面との間の水平方向の距離を調整し得る距離調整手段を介して前記レールに取り付けたものであることを特徴とする簡易テントにある。
【００１４】
本発明の第８の態様は、
上記第７の態様に記載する簡易テントにおいて、
前記距離調整手段は、両端部のヒンジ部を介して前記レール及び取付治具に固着したレバーで構成したことを特徴とする簡易テントにある。
【発明の効果】
【００１５】
本発明によれば、支柱にレールを装着するとともに移動片をそれぞれ前記レールに沿って移動させることにより骨部材を介してシート部材を展張することができる。しかも、一連の作業は容易且つ迅速に行うことができる。
【００１６】
この結果、シート部材の下方に雨に濡れることのない作業空間を形成することができ、この作業空間で所定の作業を雨に濡れることなく行うことができる。したがって、特に水分の付着を嫌う電気設備の保守点検、例えば屋外に設置された断路器の操作機構の雨天における保守、点検を容易且つ迅速に行うことができる。
【発明を実施するための最良の形態】
【００１７】
以下本発明の実施の形態を図面に基づき詳細に説明する。図１は本実施の形態を適用する断路器を示す斜視図である。同図に示すように、断路器１は、架台である支柱２上に三相分のベース３（３ａ，３ｂ，３ｃ）が平行に設置され、それぞれのベース３の上面中央部に、スラストベアリング４を介して回転碍子５が垂直かつ回転自在に取り付けられている。また、ベース３の両端部には、その上面に固定碍子６が垂直に固定され、これら回転碍子５や固定碍子６によって碍子装置７が構成されている。
【００１８】
回転碍子５の上端には、ブレード８が支持部９を介して水平に固定され、ブレード８は、回転碍子５の回転に伴い一体に回転するようになっている。また、固定碍子６の上端には、架線１０が接続される端子台１１ａや、この端子台１１ａに電気的に接続されたフィンガコンタクト１１ｂ等を有する接触端子１１が設けられている。前記ブレード８は、導電性部材によって形成され、両端部にフィンガコンタクト１１ｂと接触可能な接点を構成するブレードコンタクトが設けてある。
【００１９】
支柱２には、手動又は自動によって操作ロッド１２を回転駆動させる操作機構を収納する操作箱１３が取り付けられている。ここで、操作ロッド１２の先端は、ベース３に取り付けられたスラストベアリング４に駆動機構１４を介して接続されている。この駆動機構１４を介して操作ロッド１２と接続されたスラストベアリング４は、操作丸棒１５を介して他の相のスラストベアリング４に接続されている。
【００２０】
かかる断路器において操作機構で発生する回転力は、操作ロッド１２、駆動機構１４を介してスラストベアリング４に伝達されるとともに、操作丸棒１５を介して他の相のスラストベアリング４にも伝達され、それぞれのスラストベアリング４を介して回転碍子５に伝達されるので、それぞれの相の回転碍子５が同期して回転する。この結果、各相の接触端子１１，１１に対して各ブレード８の両端が離反乃至接触することにより架線１０，１０間を開閉する。すなわち、各相のブレード８が同一の開閉動作を行う。
【００２１】
図２は上記断路器１の操作箱１３内に収納されている操作機構の雨天時における保守・点検の際に用いる簡易テントを示す図で、（ａ）はその正面図、（ｂ）はその平面図である。また、図３は各部を抽出して示す図で、（ａ）は図２（ａ）のＡ部の拡大図、（ｂ）は図３（ａ）のＢ部の拡大図である。
【００２２】
これらの図に示すように、本形態に係る簡易テントは、レール２１、骨部材２２、シート部材２３及び移動片２４からなる。
【００２３】
ここで、レール２１は、支柱２に対して着脱可能に形成され、支柱２を囲繞するように支柱２の周囲に配設される曲線部を有するＵ字状の部材である。したがって、レール２１はその支柱２に対する装着時、Ｕ字状の開口部を介して支柱２側に押し込むことで水平な面内で支柱２を囲繞するように配設される。このレール２１にはこれに沿って移動する複数個（本形態では５個）の移動片２４が配設してある。さらに詳言すると、図３（ｂ）に明示するように、レール２１は垂直な面の上下両端部が、断面がＬ字形状になるように外側に折り曲げられて折曲部を形成しており、各移動片２４は、その外周部がレール２１の前記折曲部に接触して外側への抜けを防止される結果、レール２１の周面に沿って移動するようになっている。
【００２４】
また、このときのレール２１の装着は、アングル部材で形成した治具を介してワンタッチで行なうことができるようになっている（レール２１の装着部分の具体的な構造は後に詳述する）。
【００２５】
移動片２４と同数の骨部材２２は、その基端部が各移動片２４にそれぞれ取り付けられて支柱２と反対側に張り出すように構成してある。ここで、各骨部材２２は基端部から先端に向かって斜め上方に伸ばされている。すなわち、支柱２側が最も低くなっており、外側（支柱２と反対側）に行くほど高くなっている。
【００２６】
シート部材２３は、骨部材２２間で展張し得るようにレール２１の周方向に関して隣接する骨部材２２間に貼り付けてある。
【００２７】
この結果、移動片２４を移動して一方の側に寄せることにより骨部材２２を束ねてシート部材２３を畳むとともに、この状態から移動片２４を他方の側に移動することによりシート部材２３を展張して屋根を形成することができる。また、折り畳んだときには骨部材２２の長さで規定される長尺ものではあるが、さほど嵩張ることのない軽量物として搬送にも便利なものとなる。
【００２８】
雨天時に操作箱１３を開いて内部の電気部品である操作機構の保守・点検を行なう際には本形態に係る簡易テントを用いて所定の作業空間を形成する。具体的には、先ず支柱２にレール２１を装着する。その後、移動片２４をそれぞれレール２１に沿って移動させることにより骨部材２２を介してシート部材２３を展張する。
【００２９】
この結果、図２（ｂ）に明示するように、シート部材２３の下方に雨に濡れることのない作業空間を形成することができ、この作業空間で操作箱１３を開いて所定の作業を雨に濡れることなく行うことができる。ここで、骨部材２２は支柱２から離れるほど高い位置にあるので、作業空間も外側に向かって徐々に高くなる。これは、作業員が立って歩き回る外側の天井が高いことを意味し、この点でも良好な作業性を確保し得る。
【００３０】
なお、移動片２４は固定も含め、骨部材２２にその基端部を介して取り付けるようになっていれば良く、また形状も特に制限はないが、円板状に形成するとともに骨部材２２に対して回転可能に取り付けることもできる。この場合には、移動片２４はローラとして機能する結果、レール２１に沿う移動を極めて円滑に行なわせることができる。
【００３１】
また、上記実施の形態において、レール２１はＵ字状の部材としたが、これに限るものではない。勿論、環状に構成することもできる。そして、環状にした場合には、支柱２の全周に亘ってシート部材２３を展張することができ、形成される作業空間をその分広く確保することができる。
【００３２】
図４は、環状に形成した本発明の他の実施の形態に係るレールを抽出して示す拡大図である。同図に示すように、当該レール３１は一つのＵ字状部材３１ａの開口端に他のＵ字状部材３１ｂの開口端を当接させてこの開口端を塞ぐように両者を連結することにより全体として環状に形成したものである。すなわち、Ｕ字状部材３１ａ，３１ｂの一端部はヒンジ部３２を介して連結し、他端部はＵ字状部材３１ｂの他端部に固着されたプレート部材３３とボルト３４により連結するようになっている。
【００３３】
かかるレール３１を有する場合は、先ずボルト３４を緩め、ヒンジ部３２を回動中心として図中時計方向にＵ字状部材３１ｂを回動することによりＵ字状部材３１ａの端部を開口し、この開口部分を介して支柱２の周囲に押し込んだ後、Ｕ字状部材３１ａを支柱２に取り付ける。かかる状態でＵ字状部材３１ｂをヒンジ部を回動中心として反時計方向に回動することによりＵ字状部材３１ａの開口端を閉じてＵ字状部材３１ａ，３１ｂを連結する。このことにより、レール３１で閉じたリングを形成する。
【００３４】
図５は図１のＣ−Ｃ線矢視断面図、図６は図５のＤ部分の拡大図で、（ａ）は平面的に見た図、（ｂ）は図５のＥ線方向から見た図である。これらの図に示すように、レール２１は下方に開口する開口部２５ａを有する断面コ字状の取付治具２５を介して支柱２に装着するように構成されている。すなわち、取付治具２５の開口部２５ａを介して支柱２の構造材である水平なプレート２ａに上方から嵌め込むようになっている。
【００３５】
ここで、レール２１と取付治具２５とは、図６に明示するように、両端部のヒンジ部２６ａ，２６ｂを介してレール２１の内周面及び取付治具２５の内周面にそれぞれ固着したレバー２６で連結してある。この結果、レバー２６をヒンジ部２６ａ，２６ｂを介して回動することによりレール２１と取付治具２５との間の距離を調整し得る。すなわち、レバー２６が距離調整手段として機能する。この結果、当該簡易テントの取付対象である支柱２の幅が変っても、これに柔軟に対処することができる。すなわち、幅が狭くなればレバー２６を回動してそのレール２１及び取付治具２５に対する取付角度を大きくしてレール２１と取付治具２５との間の距離が拡大し、この結果レール２１の左右にそれぞれ配設された取付治具２５，２５間の距離が縮小するように調整するとともに、逆の場合には拡大するように調整すれば良い。
【００３６】
なお、距離調整手段は、レール２１の支柱２側の内周面と取付治具２５との間の水平方向の距離を調整し得るものであれば、前記レバー２６に限定する必要はない。
【００３７】
また、図５に示す本形態ではレール２１の先端部にベルト２７ａ，２７ｂの基端部が固着してあり、両ベルト２７ａ、２７ｂの先端部を、例えばマジックテープ（登録商標）を介して連結することで、レール２１の支柱２に対する固定をより確実なものとしている。なお、図中２８は補強部材である。
【産業上の利用可能性】
【００３８】
本発明は電力設備の保守・点検を行う産業分野で利用することができる。
【図面の簡単な説明】
【００３９】
【図１】本発明の実施の形態に係る簡易テントを適用する断路器を示す斜視図である。
【図２】本発明の実施の形態に係る簡易テントを示す図で、（ａ）はその正面図、（ｂ）はその平面図である。
【図３】各部を抽出して示す図で、（ａ）は図２（ａ）のＡ部の拡大図、（ｂ）は図３（ａ）のＢ部の拡大図である。
【図４】本発明の他の実施の形態に係るレールを抽出して示す拡大図である。
【図５】図１のＣ−Ｃ線矢視図である。
【図６】図５のＤ部分の拡大図で、（ａ）は平面的に見た図、（ｂ）はＥ線方向から見た図である。
【符号の説明】
【００４０】
２        支柱
２ａ      架台
１３        操作箱
２１        レール
２２        骨部材
２３        シート部材
２４        移動片
２５        取付治具
２５ａ      開口部
２６        レバー
２６ａ、２６ｂ      ヒンジ部      
【図１】
2008240406.tif 000003
【図２】
2008240406.tif 000004
【図３】
2008240406.tif 000005
【図４】
2008240406.tif 000006
【図５】
2008240406.tif 000007
【図６】
2008240406.tif 000008